(57)【要約】【課題】  丸刃を研摩する際、食肉を載置した状態の肉箱付近を砥粉で汚染することなく、研摩後、継続して丸刃の刃面をスクレ一パーで清掃することにより、ただちにスライス作業に着手可能な食肉スライサーを提供する。【構成】  丸刃１によって切出されるスライス肉の受取りスペースと丸刃１の駆動装置２とを隔壁板３により隔て、隔壁板３に隣接して反受取りスペース側にベルト４を使用した丸刃１の駆動装置３が設けられ、駆動装置２に近い丸刃１の外周位置の機台に研摩装置５が設けられている。【選択図】  図１
2008193963.tif 000002
【特許請求の範囲】
【請求項１】
丸刃によって切出されるスライス肉の受取りスペースと前記丸刃の駆動装置とを隔壁板により隔て、該隔壁板に隣接して反受取りスペース側にベルトを使用した前記丸刃の駆動装置が設けられ、該駆動装置に近い前記丸刃の外周位置の機台に研摩装置が設けられていることを特徴とする丸刃を用いた食肉スライサー。
【請求項２】
丸刃によって切出されるスライス肉の受取りスペースと前記丸刃の駆動装置とが隔壁板により隔てられた丸刃を用いて食肉スライサーにおいて、前記隔壁板の反受取りスペース側に該隔壁板に隣接して前記丸刃の外周位置に研摩装置が設けられ、前記反受取りスペース側の前記研摩装置よりも隔壁板から離れた位置に前記丸刃の駆動装置が設けられていることを特徴とする丸刃を有する食肉スライサー。
【請求項３】
研摩装置を具備し、丸刃を有する食肉スライサーにおいて、該研摩装置は、回転自在な椀型砥石を含み、この椀型砥石の回転中心が丸刃の外側面における丸刃内に位置させるとともに、椀型砥石の研摩面が丸刃の刃先を形成する刃面の傾斜に向かってスライド可能となるよう支持されていることを特徴とする丸刃を有する食肉スライサー。
【請求項４】
前記研摩装置が、保持筒、先端に砥石が取着され前記保持筒に軸支された支持軸、前記砥石の一部が前記丸刃の刃先に切離し自在となるように前記保持筒が内装された外筒、前記保持筒に連結されて該保持筒をスライドさせるスライド機構および前記支持軸を駆動して砥石を強制回転させる駆動機構からなっていることを特徴とする請求項１〜３の何れか１項に記載の丸刃を有する食肉スライサー。
【請求項５】
前記スライド機構が前記外筒に備えられたエアーシリンダーであり、前記支持軸の駆動機構が該支持軸の一部に形成されたインペラーおよび前記保持筒に形成され該インペラーを回転させるための圧縮空気の通路からなるエアーモーターであることを特徴とする請求項４に記載の丸刃を有する食肉スライサー。
【請求項６】
丸刃を有する食肉スライサーにおいて、前記丸刃の裏面の刃先のカエリを取る裏砥石を、丸刃内から丸刃の外周から離れた位置までの間を往復移動可能に設けたことを特徴とする丸刃を有する食肉スライサー。
【請求項７】
前記丸刃裏面において丸刃内から丸刃の外周から離れた位置までの間を往復移動するスクレーパーの支持アームが設けられ、該支持アームに前記裏砥石が取着され、該裏砥石が刃先に接する状態と離れた状態とに出没自在としたことを特徴とする請求項６に記載の丸刃を有する食肉スライサー。
【請求項８】
研摩装置を備えた丸刃を有する食肉スライサーにおいて、該食肉スライサーは丸刃裏面のスクレーパーを具備しており、前記丸刃を研摩後、継続して少なくとも該裏面のスクレーパーを作用させるようにしたことを特徴とする丸刃を有する食肉スライサー。
【発明の詳細な説明】
【技術分野】
【０００１】
本発明は丸刃を使った食肉スライサーの丸刃の研摩と研摩粉の除去に関する。
【背景技術】
【０００２】
特許文献１（実開平７−２７７９６号公報）には、丸刃の上部周辺に研摩装置が設けられ、丸刃の研摩に際して発生する砥粉等の細塵が機台の手前位置に停止している肉箱側に飛散することを防止して、研摩後の清掃を容易にし、清掃作業時間の短縮と作業の容易性を図るために、丸刃用モーターに可逆回転モーターを使用し、スライサーの運転操作回路中に設けた丸刃研摩用スイッチと、このスイッチに連動する丸刃逆転用リレーとの作動によって、丸刃研摩用モーターをスライス運転時とは逆回転させるモーター回転制御装置を備え、研摩時に発生する砥粉を丸刃カバー側に飛ばすようにした食肉スライサーが開示されている。
【０００３】
特許文献１においては、研摩装置は、殆どすべてのこの種スライサーと同様に丸刃の上部周辺に装置されている。従って、丸刃を正規回転のままで研摩すると砥粉が肉箱方向に飛来して汚染する。そこで特許文献１においては研摩を行うときに丸刃を逆転させて肉箱と逆方向に飛ばして肉箱周辺の砥粉による汚染を防止しようとするものである。そのため、特許文献１のスライサーは構成が複雑となり切替操作が煩雑である。
【０００４】
また、特許文献１に開示されたスライサーは、研摩時に丸刃の刃面にも砥粉が付着するので布などでふき取らなければならず危険である。
【０００５】
一方、特許文献２（実公昭６４−３６７１号公報）には、特許文献１と同様に、丸刃の上部付近に設けられた研摩装置を箱型カバーで囲うとともに、丸刃表面側のスクレ一パーをこの箱型カバー内に設け、箱型カバーをファンを介在させた管路に連結させて砥粉およびスライス作業により丸刃に付着しスクレ一パーにより掻き取られた肉屑を、管路に設けられた集塵箱に収容できるようにしている。
【０００６】
しかし、特許文献２に開示されたような箱型カバーは、構成上密閉状態とすることができないので、完全な防塵は困難である。
【０００７】
また、特許文献２では丸刃の裏側（肉箱側）の刃面に付着した砥粉や肉屑は除去できない。
【０００８】
更に、特許文献２では肉箱が通過するときに支障にならないように箱型カバーが占有する丸刃の上部のスペースを確保しなければならないので、その分、丸刃の外形が大きくなり丸刃の切断無効部分が増える。
【０００９】
上述のように、従来の技術では丸刃を研摩後に各部を清掃しなければならず、そのままではスライス作業に着手できないという問題があった。
【特許文献１】実開平７−２７７９６号公報
【特許文献２】実公昭６４−３６７１号公報
【発明の開示】
【発明が解決しようとする課題】
【００１０】
特許文献１、２に開示された食肉スライサーに付随する種々の問題に鑑み、本発明は丸刃を研摩する際、食肉を載置した状態の肉箱付近を砥粉で汚染することなく、研摩後、継続して丸刃の刃面をスクレ一パーで清掃することにより、ただちにスライス作業に着手可能な食肉スライサーを提供することを目的とする。
【課題を解決するための手段】
【００１１】
本発明は、丸刃によって切出されるスライス肉の受取りスペースと前記丸刃の駆動装置とを隔壁板により隔て、該隔壁板に隣接して反受取りスペース側にベルトを使用した前記丸刃の駆動装置が設けられ、該駆動装置に近い前記丸刃の外周位置の機台に研摩装置が設けられていることを特徴とする丸刃を用いた食肉スライサーにより、上述の目的を達成する。
【００１２】
また、本発明は、丸刃によって切出されるスライス肉の受取りスペースと前記丸刃の駆動装置とが隔壁板により隔てられた丸刃を用いて食肉スライサーにおいて、前記隔壁板の反受取りスペース側に該隔壁板に隣接して前記丸刃の外周位置に研摩装置が設けられ、前記反受取りスペース側の前記研摩装置よりも隔壁板から離れた位置に前記丸刃の駆動装置が設けられていることを特徴とする丸刃を有する食肉スライサーにより、上述の目的を達成する。
【００１３】
更に、本発明は、研摩装置を具備し、丸刃を有する食肉スライサーにおいて、該研摩装置は、回転自在な椀型砥石を含み、この椀型砥石の回転中心が丸刃の外側面における丸刃内に位置させるとともに、椀型砥石の研摩面が丸刃の刃先を形成する刃面の傾斜に向かってスライド可能となるよう支持されていることを特徴とする丸刃を有する食肉スライサーを提供する。
【００１４】
本発明は更に、丸刃を有する食肉スライサーにおいて、前記丸刃の裏面の刃先のカエリを取る裏砥石を、丸刃内から丸刃の外周から離れた位置までの間を往復移動可能に設けたことを特徴とする丸刃を有する食肉スライサーおよび研摩装置を備えた丸刃を有する食肉スライサーにおいて、該食肉スライサーは丸刃裏面のスクレーパーを具備しており、前記丸刃を研摩後、継続して少なくとも該裏面のスクレーパーを作用させるようにしたことを特徴とする丸刃を有する食肉スライサーを提供する。
【発明の効果】
【００１５】
本発明においては、研摩装置を肉箱から遠ざけた位置に配置して砥粉が肉箱周辺に飛来しないようにしたので、丸刃の研摩時に肉箱に載置した食肉を下ろす必要がない。
【００１６】
しかも、本発明により、丸刃を研摩する際、食肉を載置した状態の肉箱付近を砥粉で汚染することなく、研摩後、継続して丸刃の刃面をスクレ一パーで清掃することにより、ただちにスライス作業に着手可能である。
【発明を実施するための最良の形態】
【００１７】
以下、図面に示した実施例に基づいて本発明を詳細に説明する。
【実施例１】
【００１８】
従来の丸刃を使ったスライサーに請求項１の本発明を実施した食肉スライサーを図示した図１を参照する。丸刃１によって切出されるスライス肉の受取スペースと丸刃１の駆動装置２とを隔壁板３により隔て、隔壁板３に隣接してベルト４を使用した丸刃１の駆動装置２を設け、駆動装置２に近い丸刃１の外周位置に、研摩装置５を設けている。
【００１９】
また、丸刃１表面の刃先付近に隣接し、丸刃１に、付着した油脂や砥粉を除去するスクレーパー６を丸刃１の外周位置の機台に取り付けている。
【００２０】
スクレーパー６は、図１に示すように、研摩装置５の丸刃１の回転方向（図１では矢印で示す時計方向）の下流側に研摩装置と並べて設けることが好ましい。なお、符号７は肉箱である。
【００２１】
図１に図示した実施例によれば、研摩装置を肉箱から遠ざけた位置に配置して砥粉が肉箱周辺に飛来しないようにしたので、丸刃の研摩時に肉箱に載置した食肉を下ろす必要がない。しかも、本発明により、丸刃を研摩する際、食肉を載置した状態の肉箱付近を砥粉で汚染することなく、研摩後、継続して丸刃の刃面をスクレ一パーで清掃することにより、ただちにスライス作業に着手可能である。
【実施例２】
【００２２】
次に、図２を参照して本発明の第２実施例を説明する。図２に示す実施例は、上述の実施例と同様に従来の丸刃を使ったスライサーに請求項２の発明を実施したものである。
【００２３】
隔壁板３に近い丸刃１の外周位置に研摩装置５を設けるため、丸刃１の駆動装置２を研摩装置より丸刃から離れた位置に配置している。図２においては、ベルト４を介して丸刃１を回転させるモーター８が丸刃１の回転中心の略真横位置に配置されており、駆動装置２と隔壁板３との間に研摩装置５を取着するスペースが形成されている。
【００２４】
丸刃の駆動装置２は、従来通りモーター８を丸刃１の下方に置いてベルト４のみをガイドプーリーを介して上述のスペースを確保するように研摩装置から遠ざけて構成してもよい。なお、本実施例においても第１実施例のようにスクレーパー６を研摩装置５と並べて配設することが望ましい。
【００２５】
本実施例によれば研摩装置を肉箱から遠ざけた位置に配置して砥粉が肉箱周辺に飛来しないようにしたので、丸刃の研摩時に肉箱に載置した食肉を下ろす必要がない。
【００２６】
しかも、本実施例により、丸刃を研摩する際、食肉を載置した状態の肉箱付近を砥粉で汚染することなく、研摩後、継続して丸刃の刃面をスクレ一パーで清掃することにより、ただちにスライス作業に着手可能である。
【００２７】
更に、本実施例においては、丸刃の回転方向（図２に矢印で示す時計方向）に見て研摩装置を肉箱から一層遠くに設置するために、駆動装置が邪魔にならないように、隔壁板３から離れて設置されている。しかも、研摩装置の砥石自身の回転により持ち回る砥粉が肉箱の方向に飛ばないよう、隔壁板３の陰に研摩装置を設置している。
【００２８】
上述した実施例１、２で用いられている研摩装置は、保持筒、先端に砥石が取着され保持筒に軸支された支持軸、砥石の一部が丸刃の刃先に切離自在となるように保持筒が内装された外筒、保持筒に連結されて保持筒をスライドさせるスライド機構、および支持軸を駆動して砥石を強制回転させる駆動機構からなっていることが好ましい。
【００２９】
すなわち、図３を参照して、研摩装置５は、保持筒９に軸支された支持軸１０の先端に取着された砥石１１が、丸刃１の刃先に接離自在となるよう保持筒９が機台に取付けられた外筒１２に長手方向にスライド自在に内装されている。保持筒９をスライドさせるスライド機構として、エアーシリンダー１３が外筒１２の反砥石側端部に取着され保持筒９に連結されている。
【００３０】
支持軸１０を回転駆動して砥石１１を強制回転させる駆動機構は、以下の構成となっている。支持軸１０の一部にインペラー１４が形成され、インペラー１４を回転させるために保持筒９に圧縮空気の通路１５を設けてエアーモーターを構成している。
【００３１】
スライド機構は、ねじを使用して電動モーターや手動で回転させるようにしてもよい。支持軸１０の駆動機構としては電動モーターでもよい。
【００３２】
丸刃１の刃先を研摩する際には、エアーシリンダー１３のロッドを前進作動させて、通常は丸刃１の刃面から離れた位置（図３の実線）に保持されている砥石１１の一部が刃先に接触する位置（図３の仮想線）までスライドさせる。研摩のインターバルや砥石１１が刃先に接している研摩時間は適宜タイマーで設定してソレノイドバルブ（図示せず）を介して適宜制御することが望ましい。
【００３３】
砥石１１は刃先に接して研摩する際にはエアーモーターによって強制回転させられる構造であるが、研摩後、丸刃１の刃先から離れた状態においてもそのまま高速で空転させると砥石１１の表面に付着した油脂や砥粉を振り切り砥石１１の表面を清浄な状態に保つことができる。
【００３４】
従来のこの種スライサーにおける研摩装置は、椀形砥石の一部を、回転している丸刃の刃面に圧接して丸刃の回転力を利用して砥石を回転させ互いの周速差によって刃先を研摩していたが、食肉の脂分が刃先に付着しているので砥石の回転が不安定となり確実に研摩できないことがあった。また、丸刃の外周の磨耗により砥石との当り具合が変わり回転が安定しない。
【００３５】
これに対して、本実施例においては砥石を強制回転させることで、砥石の表面に付着した油分を振り離すことができる。回転中の砥石を刃先から離せばその効果が一層大きい。
【００３６】
次に、図４を参照して丸刃表面のスクレーパー６を説明する。丸刃１の表面の刃先付近に接離するよう機台に取り付けられた丸刃表面のスクレーパー６は刃先付近の表面に付着した油脂や砥粉を除去して切出されるスライス肉片の汚染を防ぐ。
【００３７】
スクレーパー６においては、刃先に接蝕して刃面に付着した油脂や砥粉を掻き取る先端が鋭利なエッジとされた樹脂などで作られた切片１６を保持板１７により保持している。保持板１７は、機台に取り付けられたエアーシリンダー１８のロッド１９の先端に螺着されており、切片１６のエッジが刃先に接触した状態（図４の状態）と刃先から離れた状態とを切換え自在としている。
【００３８】
スクレーパー６は、常時刃先に接触させるようにしてもよいが、エッジの摩滅を防止するため適宜間欠的に作動させるようシリンダー１８の作動を制御してもよい。また、研摩装置５と関連させて作動させるとよい。すなわち、研摩効果を上げるため研摩前に作動させて、刃先の油脂を除去させるほか、研摩に引続き作動させて刃先に付着した砥粉を除去してそのままスライス作業に移れるようにすることが好ましい。
【００３９】
上述の構成により、研摩装置の構成がコンパクトとなるとともに、圧縮空気を使うので耐水性がよく感電のおそれがない装置が得られる。
【００４０】
また、丸刃の刃先に接してカエリ除去した後丸刃の外周から離れるので肉箱の移動を妨げない。
【００４１】
スライス作業時において食肉の先端が接触する丸刃の裏面側にスクレーパーを作用させることで、丸刃裏面に付着した僅かな砥粉も除去するので衛生的な作業が行える。
【００４２】
更に、本発明は研摩装置を具備し、丸刃を有する食肉スライサーにおいて、該研摩装置は、回転自在な椀型砥石を含み、この椀型砥石の回転中心が丸刃の外側面における丸刃内に位置させるとともに、椀型砥石の研摩面が丸刃の刃先を形成する刃面の傾斜に向かってスライド可能となるよう支持されていることを特徴とする丸刃を有する食肉スライサーとしてもよい。
【００４３】
従来のこの種スライサーにおける研摩装置は一組の椀型砥石を丸刃の表裏両面から接離させるように構成されていて、砥石の回転中心は丸刃外側にある。しかも丸刃の刃先の摩滅に伴い砥石の位置や支持角度を調節して作業者が最適と思われる刃面の傾きが得られるよう面倒な調節を行っていた。
【００４４】
これに対し、本発明は砥石の支持角度を変えないで刃先の摩滅に応じてスライドさせるのみでよい。刃面の傾きは常に一定となる。また、砥石の回転中心が従来と異なり丸刃内にあるので丸刃が摩滅して砥石をスライドさせて刃面に近づけても砥石の研摩面が刃面から外れる心配がない。
【００４５】
図５および図６を参照して、裏砥石と関連する丸刃裏面のスクレーパーおよび丸刃１の表面を研摩した際などに発生する丸刃１の裏面の刃先のカエリを取る裏砥石２０の構成について説明する。
【００４６】
裏砥石２０は本実施例においては平砥石とされ、図５に示すように丸刃１の裏面における丸刃内（図５の実線）から丸刃１の外周から離れた位置（図５の仮想線）までの間を往復移動可能に設けられている。
【００４７】
更に、本発明の食肉スライサーは丸刃裏面のスクレスパーを具備しており、丸刃を研摩後、継続して少なくとも裏面のスクレーパーを作用させるようにしてもよい。
【００４８】
支持台２５が肉箱７の移動範囲から離れた位置の機台に取り付けられ、支持台２５に揺動アーム２１の−端が軸支され、揺動アーム２１の丸刃１側他端には丸刃１の裏面に接触して刃面に付着した油脂や砥粉を除去するスクレーパー２２が取り付けられている。揺動アーム２１は肉箱の往復移動に関連させて適宜駆動装置により揺動される。丸刃１の裏面は肉箱７が往復移動するので邪魔にならないようスクレーパー２２や裏砥石２０および関連部品は肉箱７の移動に関連して退去させる構成である。これにより丸刃の刃先に接してカエリ除去した後丸刃の外周から離れるので肉箱の移動を妨げない。
【００４９】
本実施例においては、裏砥石２０を揺動アーム２１に取り付けている。図６に示すように、裏砥石２０を保持する保持具２３は揺動アーム２１に固着されたエアーシリンダー２４のロッド先端に螺着されていてエアーシリンダー２４を作動させることによって丸刃１の裏面刃先に接する状態（図６の仮想線）と刃先から離れた状態（図６の実線）とに出没自在とされている。
【００５０】
これにより構成が簡単となり、裏砥石２０が刃先と接離自在となるよう出没するので、スクレーパー２２との作用の連係が自由に選択できる。すなわち、スクレーパー２２を単独で作用するように裏砥石２０を没入させたり、研摩装置５と同時に作用するように突出させたりすることが可能である。また、裏砥石２０は丸刃１の刃先部分を通過する際に限って突出させてもよい。
【００５１】
更に、スライス作業時において食肉の先端が接触する丸刃の裏面側にスクレーパー２２を作用させることで、丸刃裏面に付着した僅かな砥粉も除去するので衛生的な作業が行える。
【００５２】
裏砥石２０が刃先に接してバリを除去して丸刃外周から離れた位置にあるとき、機台に設けられたノズル２６から洗浄水など流体を吹きかけるようにしてもよい。
【００５３】
本実施例においてはスクレーパー２２を取り付けた揺動アーム２１に裏砥石２０を取り付けたが揺動アーム２１はそれぞれ専用としてもよい。また円弧移動でなく直線移動するものであってもよい。また、裏砥石２０は円筒形で回転自在に支持されたものあってもよい。
【００５４】
このように本発明においては刃先を研摩した場合には少なくとも継続して裏面のスクレ−パー２２を作動させる構成とすることが好ましい。同時に丸刃表面のスクレーパー６を作動させるようにしてもよい。このことによって、研摩後直ちにスライス作業に着手できるので効率がよい。
【００５５】
更には、スライス作業中において予め設定された時間が経過後に食肉を載置したままで肉箱７の移動のみを停止させ−定時間研摩後連続してスクレーパー６、２２を作動させてから引き続いてスライス作業を再開させるように−連の動作が連続して行えるよう制御すれば連続運転も可能である。
【図面の簡単な説明】
【００５６】
【図１】第−実施例の−部を省略した正面図てある。
【図２】第二実施例の図１と同様の正面図である。
【図３】研摩装置の断面図である。
【図４】丸刃表面側のスクレーパーである。
【図５】丸刃裏面側に設けられた裏砥石と裏面側スクレーパーの作動図である。
【図６】裏砥石と裏面側スクレ−パの構成を示す側面図である。
【符号の説明】
【００５７】
１  丸刃
２  駆動装置（丸刃用）
３  隔壁板
４  ベルト
５  研摩装置
６  スクレーパー（丸刃表面用）
７  肉箱
８  モーター
９  保持筒
１０  支持軸
１１  砥石
１２  外筒
１３  エアーシリンダー（研摩装置用）
１４  インペラー
１５  エアー通路
１６  切片
１７  保持板
１８  エアーシリンダー（丸刃表面スクレーパー用）
１９  ロッド
２０  裏砥石
２１  揺動アーム
２２  スクレーパー（丸刃裏面用）
２３  保持具
２４  エアーシリンダー（裏砥石用）
２５  支持台
２６  ノズル
【図１】
2008193963.tif 000003
【図２】
2008193963.tif 000004
【図３】
2008193963.tif 000005
【図４】
2008193963.tif 000006
【図５】
2008193963.tif 000007
【図６】
2008193963.tif 000008